(57)【要約】【解決手段】角部パネル受け部材Ｓｃと該角部パネル受け部材Ｓｃと隣り合う中間パネル受け部材Ｓｍと間のスパンＬ２を、中間パネル受け部材Ｓｍと該中間パネル受け部材Ｓｍと隣り合う中間パネル受け部材Ｓｍと間のスパンＬ１より短くした床構造に関するものである。【効果】角部パネル受け部材と該角部パネル受け部材と隣り合う中間パネル受け部材と間のスパンを、中間パネル受け部材と該中間パネル受け部材と隣り合う中間パネル受け部材と間のスパンより短くしたので、パネル受け部材に支持されている床下地パネルの撓みを、複数の床下地パネルにより構成される床全体に亘たって、略同じにすることができ、従って、歩行感の一定した床構造を設置することができる。【選択図】図１
2009249837.tif 000002
【特許請求の範囲】
【請求項１】
角部パネル受け部材と該角部パネル受け部材と隣り合う中間パネル受け部材と間のスパンを、中間パネル受け部材と該中間パネル受け部材と隣り合う中間パネル受け部材と間のスパンより、短く構成したことを特徴とする床構造。
【請求項２】
床下地パネルの短辺に沿った角部パネル受け部材間のスパンを、床下地パネルの短辺に沿った中間パネル受け部材間のスパンより短く構成したことを特徴とする床構造。
【発明の詳細な説明】
【技術分野】
【０００１】
本願発明は、コンクリート製の床スラブ上に施工される床構造に関するものである。
【背景技術】
【０００２】
従来、コンクリート製の床スラブ上に、高さ調整機構を有する脚部材を配設するとともに、脚部材の上に、同一の支持板を介して、床下地パネルを載置し、この床下地パネルの上に、フローリング材を敷き詰めることにより形成された床構造が、一例として、特許文献１に開示されている。
【０００３】
コンクリート製の床スラブには、起伏があるので、水平な床構造を施工するために、床下地パネルの上面に、水平器を載置するとともに、脚部材の高さ調整機構のナットを上下動させることにより、床下地パネルの上面の水平出しを行い、床下地パネルを水平に施工することになる。このような水平出し作業を、床下地パネルの多くの箇所において行うことになる。
【０００４】
【特許文献１】特開２００４−２３８９２５号公報
【発明の開示】
【発明が解決しようとする課題】
【０００５】
梁としての床下地パネルＰが、床下地パネルＰの長手方向に等間隔で設置された支持点としての脚部材により支持されている状態が、模式的に示されている図１４を用いて、上述した従来の床構造が有する課題について説明する。
【０００６】
通常の床構造においては、床下地パネルＰは、床下地パネルＰの長手方向の両端部に設置された支点（端部支点と称し、符号Ｓｔ’が使用されている。）と、端部支点Ｓｔ’の中間に設置された支点（中間支点と称し、符号Ｓｍ’が使用されている。）とで支持されている、所謂、連続梁構造であり、また、支点間の間隔（スパン）Ｌ’は、全て同じである。
【０００７】
ところで、連続梁構造においては、端部支点Ｓｔ’と中間支点Ｓｍ’とにより支持されている梁部Ｐ’の撓み（δ１）は、中間支点Ｓｍ間に位置する梁部Ｐ”の撓み（δ２）より大きいことが知られている。従って、このような構造を有する床構造においては、床下地パネルＰの長手方向の端部付近における歩行感が、床下地パネルＰの長手方向の中央部における歩行感と異なり、居住者が違和感を持つという問題があった。
【０００８】
また、床下地パネルＰの長手方向の端部付近に、家具等を置いた場合には、床の撓みが大きいので、家具等を、安定的に、また、見栄えよく設置できないという問題があった。
【０００９】
更に、上述した床構造においては、水平な床構造を施工するために、床下地パネルの上面に、作業者が乗って、水平器を、床下地パネルの上面に載置して、床下地パネルの水平出し作業を行うことになるが、床下地パネルの上に、作業者が乗った際に、床下地パネルが湾曲することになり、従って、床下地パネルの正確な水平出しを行うことができないという問題があった。
【００１０】
更にまた、床下地パネルの多数箇所において、水平器を用いて、床下地パネルの水平出しを行っても、水平器付近の局部的な床下地パネルの水平出しを行うことができるが、床構造が施工されるコンクリート製の床スラブの全面に亘たって、床下地パネルの上面の水平出しを行うことは困難であった。
【００１１】
なお更に、作業者が、床下地パネルの上に乗らずに、水平器を用いて、床下地パネルの水平出しを行う場合でも、床下地パネル自体が、反り返っていたり、湾曲している場合があり、このような場合には、床下地パネルの正確な水平出しを行うことが困難であった。
【００１２】
本発明の目的は、上述した従来の床構造が有する課題を解決することにある。
【課題を解決するための手段】
【００１３】
本発明は、上述した目的を達成するために、第１には、角部パネル受け部材と該角部パネル受け部材と隣り合う中間パネル受け部材と間のスパンを、中間パネル受け部材と該中間パネル受け部材と隣り合う中間パネル受け部材と間のスパンより短くしたものであり、第２には、短辺に沿った角部パネル受け部材間のスパンを、短辺に沿った中間パネル受け部材間のスパンより短くしたものであ。
【発明の効果】
【００１４】
角部パネル受け部材と該角部パネル受け部材と隣り合う中間パネル受け部材と間のスパンを、中間パネル受け部材と該中間パネル受け部材と隣り合う中間パネル受け部材と間のスパンより短くしたので、パネル受け部材に支持されている床下地パネルの撓みを、複数の床下地パネルにより構成される床全体に亘たって、略同じにすることができ、従って、歩行感の一定した床構造を設置することができる。
【００１５】
短辺に沿った角部パネル受け部材間のスパンを、短辺に沿った中間パネル受け部材間のスパンより短くしたので、パネル受け部材に支持されている床下地パネルの撓みを、複数の床下地パネルにより構成される床全体に亘たって、略同じにすることができ、従って、歩行感のより一定した床構造を設置することができる。
【実施例】
【００１６】
以下に、本発明の床構造について説明するが、本発明の趣旨を越えない限り、何ら、本実施例に何ら限定されるものではない。なお、以下の実施例においては．床構造が施工される部屋の平面形状が、方形の場合について説明するが、部屋の平面形状は、何ら方形に限定されるものではない。
【００１７】
以下に、図１を用いて、本発明の床構造の基本的な配置構成について説明するが、従来の床構造の基本的な配置構成と本発明の床構造の基本的な配置構成との相違を明確にするために、まず最初に、図２を用いて、従来の床構造の基本的な配置構成について説明する。
【００１８】
基本的には、床下地パネルＰは、その短辺ｐ１に沿っては、梁における支点として機能する、２個のパネル受け部材Ｓにより支持され、また、その長辺ｐ２に沿っては、梁における支点として機能する、３個以上のパネル受け部材Ｓにより支持されるように構成されている。即ち、床下地パネルＰの短辺ｐ１側は、梁としての床下地パネルＰと、該床下地パネルＰの短辺ｐ１の両端部を支持する２個の梁の支点としてのパネル受け部材Ｓとからなる、所謂、単純梁構造を有しており、また、床下地パネルＰの長辺ｐ２側は、梁としての床下地パネルＰと、該床下地パネルＰの長辺ｐ２の両端部を支持する２個の梁の支点としてのパネル受け部材Ｓと、床下地パネルＰの長辺ｐ２の両端部を支持する２個のパネル受け部材Ｓ間に配置される、同じく、梁の支点としての１個以上のパネル受け部材Ｓとからなる、所謂、連続梁構造を有している。
【００１９】
床下地パネルＰの短辺ｐ１と長辺ｐ２とにより形成される４つの角部Ｐｃには、角部パネル受け部材Ｓｃが配置され、また、床下地パネルＰの長辺ｐ２の両端に配置された角部パネル受け部材Ｓｃの間には、１個以上（本実施例においては、３個）の中間パネル受け部材Ｓｍが配置されている。即ち、１枚の床下地パネルＰは、４個の角部パネル受け部材Ｓｃと６個の中間パネル受け部材Ｓｍにより支持されている。角部パネル受け部材Ｓｃと中間パネル受け部材Ｓｍの平面形状は同一に形成されており、且つ、長辺ｐ２に沿って、隣り合うパネル受け部材Ｓ間のスパンＬ１は、全て同じに形成されている。
【００２０】
上述したように、図２に示されている従来のパネル受け部材Ｓ（Ｓｃ、Ｓｍ）の配置構成においては、角部パネル受け部材Ｓｃと該角部パネル受け部材Ｓｃと隣り合う中間パネル受け部材Ｓｍと間の撓みは、中間パネル受け部材Ｓｍと該中間パネル受け部材Ｓｍと隣り合う中間パネル受け部材Ｓｍと間の撓みより、大きいことになり、従って、上述したような問題が発生することになる。
【００２１】
ところで、撓みを小さくするためには、支点間のスパンを短くすることにより、撓みを小さくすることができる。従って、角部パネル受け部材Ｓｃと該角部パネル受け部材Ｓｃと隣り合う中間パネル受け部材Ｓｍと間の撓みを小さくして、中間パネル受け部材Ｓｍと該中間パネル受け部材Ｓｍと隣り合う中間パネル受け部材Ｓｍと間の撓みに近づけるには、角部パネル受け部材Ｓｃと該角部パネル受け部材Ｓｃと隣り合う中間パネル受け部材Ｓｍと間のスパンを、中間パネル受け部材Ｓｍと該中間パネル受け部材Ｓｍと隣り合う中間パネル受け部材Ｓｍと間ののスパンより、短くすればよいことになる。
【００２２】
そのために、本発明においては、角部パネル受け部材Ｓｃの床下地パネルＰの長辺ｐ２に沿った長さを、所定長さΔＬ１だけ長くして、角部パネル受け部材Ｓｃと該角部パネル受け部材Ｓｃと隣り合う中間パネル受け部材Ｓｍと間のスパンＬ２を、中間パネル受け部材Ｓｍと該中間パネル受け部材Ｓｍと隣り合う中間パネル受け部材Ｓｍと間のスパンＬ１より、ΔＬ１だけ短くしたものである。
【００２３】
次に、図３及び図４を用いて、梁における支点として機能するパネル受け部材Ｓについて説明する。
【００２４】
一例として、パネル受け部材Ｓは、床スラブ１の上面に配置される防震ブロックＳ１と、防震ブロックＳ１に載置される床高調整ブロックＳ２と、床高調整ブロックＳ２に載置される受台ブロックＳ３とから構成されている。
【００２５】
ゴム製の防震ブロックＳ１は、角柱状の角柱部ｓ１と角柱部ｓ１の裏面に垂設された複数の柱状部ｓ２とから構成されており、床高調整ブロックＳ２は、防震ブロックＳ１の上面に載置される角柱状のブロックであり、床高調整ブロックＳ２の平面形状は、防震ブロックＳ１の平面形状と略同一に形成されており、また、床高調整ブロックＳ２には、後述するように、その厚さが異なる、多数の床高調整ブロックＳ２が用意されている。また、受台ブロックＳ３は、床高調整ブロックＳ２の上面に載置される同じく角柱状のブロックである。床スラブ１の上面に、防震ブロックＳ１、床高調整ブロックＳ２及び受台ブロックＳ３を配設した後、受台ブロックＳ３の上面に、床下地パネルＰが載置されることになる。床スラブ１の所定の位置に、防震ブロックＳ１を、接着剤やビスや釘等の適当な固着具により取り付けた後、防震ブロックＳ１に、同じく、接着剤やビスや釘等の適当な固着具により、床高調整ブロックＳ２及び受台ブロックＳ３を取り付ける。なお、床スラブ１の所定の位置に、防震ブロックＳ１、床高調整ブロックＳ２及び受台ブロックＳ３を配置した後、ビスや釘等の適当な固着具により、一括して、床スラブ１に取り付けることもできる。
【００２６】
図５に示されているように、中間パネル受け部材Ｓｍは、略同じ形状を有する、防震ブロックＳ１、床高調整ブロックＳ２及び受台ブロックＳ３から構成されている。また、図６に示されているように、角部パネル受け部材Ｓｃについては、防震ブロックＳ１と床高調整ブロックＳ２は、中間パネル受け部材Ｓｍと同じものであり、受台ブロックＳ３については、床下地パネルＰの長辺ｐ２に沿った長さＤ１が、中間パネル受け部材Ｓｍの床下地パネルＰの長辺ｐ２沿った長さＤ２より、長く形成されている。このように構成することにより、角部パネル受け部材Ｓｃと該角部パネル受け部材Ｓｃと隣り合う中間パネル受け部材Ｓｍと間のスパンＬ２を、中間パネル受け部材Ｓｍと該中間パネル受け部材Ｓｍと隣り合う中間パネル受け部材Ｓｍと間のスパンＬ１より、ΔＬ１だけ短くすることができるように構成されている。
【００２７】
次に、図７及び図８を用いて、複数の床下地パネルＰが配置された床構造について説明する。
【００２８】
壁Ｗに当接或いは近接して配置される床下地パネル（符号Ｐａが付されている。）を支持する、壁Ｗ側の角部パネル受け部材Ｓｃ１及び中間パネル受け部材Ｓｍ１は、床下地パネルＰの短辺ｐ１に沿って、所定の同じ長さ（以下、単に、短辺側長さという。）Ｄ３を有している。
【００２９】
また、長辺ｐ２同士が当接している床下地パネル（符号Ｐｂが付されている。）を支持する角部パネル受け部材Ｓｃ２及び中間パネル受け部材Ｓｍ２は、床下地パネルＰｂの長辺ｐ２側の当接部（以下、単に、長辺側当接部という。）ｆ１を挟んで、両方の床下地パネルＰｂを支持することになるので、角部パネル受け部材Ｓｃ２及び中間パネル受け部材Ｓｍ２の短辺側長さＤ４は、壁Ｗに当接或いは近接して配置される床下地パネルＰａを支持する、壁Ｗ側の角部パネル受け部材Ｓｃ１及び中間パネル受け部材Ｓｍ１の短辺側長さＤ３より長く形成されている。
【００３０】
上述したように、角部パネル受け部材Ｓｃと該角部パネル受け部材Ｓｃと隣り合う中間パネル受け部材Ｓｍと間のスパンＬ２を、中間パネル受け部材Ｓｍと該中間パネル受け部材Ｓｍと隣り合う中間パネル受け部材Ｓｍと間のスパンＬ１より短くしたので、パネル受け部材Ｓに支持されている床下地パネルＰの撓みを、複数の床下地パネルＰにより構成される床全体に亘たって、略同じにすることができ、従って、歩行感の一定した床構造を設置することができる。
【００３１】
なお、本実施例においては、壁Ｗの一方の壁部ｗ１側に、床下地パネルＰの長辺ｐ２側が配置されるとともに、隣接する床下地パネルＰは、その長辺ｐ２同士が当接し、また、その短辺ｐ１同士が当接するように配置されるように構成されている。更に、隣接する床下地パネルＰの長手方向に沿って、短辺ｐ１同士の当接部ｆ２が一致しないように構成されている。
【００３２】
次に、図９〜図１３を用いて、上述した床構造の施工方法について説明する。  
【００３３】
まず最初に、図９に示されているように、墨壺等を使用して、床スラブ１上に、線引きを行う。線引きは、先ず最初に、壁Ｗから所定の距離を置いて、壁Ｗ付近に位置する床スラブ１の上面に、壁Ｗに沿って、線（以下、この線を、壁近傍線と称する。）Ｅ１、Ｅ２を引く。次いで、相対する一方の壁近傍線Ｅ１間に、所定の間隔で、壁近傍線Ｅ１に平行に、適当数の線Ｅ１ａを引くとともに、同様に、相対するもう一方の壁近傍線Ｅ２間にも、所定の間隔で、壁近傍線Ｅ２に平行に、適当数の線Ｅ２ａを引く。このようにして、床スラブ１の上面には、図９に示されているように、壁近傍線Ｅ１と壁近傍線Ｅ２との壁Ｗの隅部付近に位置する交点Ｃ１、一方の壁近傍線Ｅ１と該壁近傍線Ｅ１に直交する線Ｅ２ａとの一方の壁近傍線Ｅ１に沿った交点Ｃ２、もう一方の壁近傍線Ｅ２と該壁近傍線Ｅ２に直交する線Ｅ１ａとのもう一方の壁近傍線Ｅ２に沿った交点Ｃ３及び一方の壁近傍線Ｅ１に平行な線Ｅ１ａともう一方の壁近傍線Ｅ２に平行な線Ｅ２ａとの交点Ｃ４が形成されることになる。
【００３４】
次いで、図１０に示されているように、床スラブ１の上面の適当な箇所に、例えば、中央部に、公知のレーザーレベル計Ｍを載置して、水平レーザービームｍ１を放射状に発射する。
【００３５】
その後、図１１に示されているように、床スラブ１の上面に、物差しＲを載置して、床スラブ１の上面に形成された各交点Ｃ１〜Ｃ４から、レーザーレベル計Ｍの水平レーザービームｍ１迄の高さを測定する。このようにして、各交点Ｃ１〜Ｃ４の全てにおける、基準水平面としての水平レーザービームｍ１から床スラブ１の上面までの高さ測定を行う。
【００３６】
上述した各交点Ｃ１〜Ｃ４から、レーザーレベル計Ｍの水平レーザービームｍ１迄の高さのうち、１つの特定の交点Ｃ１〜Ｃ４（以下、基準交点と称し、符号Ｃ０を付す。）の床スラブ１の上面から、水平レーザービームｍ１までの高さを、基準高さと称し、符号Ｈ０を付す。そして、基準交点Ｃ０以外の各交点Ｃ１〜Ｃ４における床スラブ１の上面から、水平レーザービームｍ１までの高さＨ１、Ｈ２・・・と基準高さＨ０との差Δｈ１（Ｈ０−Ｈ１）、Δｈ２（Ｈ０−Ｈ２）・・・を、基準交点Ｃ０以外の各交点Ｃ１〜Ｃ４において計算しておく。
【００３７】
上述したように、防震ブロックＳ１は、角柱状の角柱部ｓ１と角柱部ｓ１の裏面に垂設された複数の柱状部ｓ２とから構成されており、全ての防震ブロックＳ１の厚さｔ１は同じであり、防震ブロックＳ１は、全て、同一形状に形成されている。
【００３８】
防震ブロックＳ１の上面に載置される床高調整ブロックＳ２は、防震ブロックＳ１の平面形状と略同一に形成されており、また、床高調整ブロックＳ２には、その厚さｔ２が異なる、多数の床高調整ブロックＳ２が用意されている。
【００３９】
床高調整ブロックＳ２には、基準交点Ｃ０に配置される特定の１つの床高調整ブロック（以下、この床高調整ブロックを、基準床高調整ブロックと称し、符号Ｓ２ａを付す。）の厚さ（以下、この厚さを、基準厚さと称し、符号ｔ０を付す。）から、所定の単位厚さ（例えば、１ｍｍ単位）で異なる厚さｔ２を有する多数の床高調整ブロックＳ２が用意されている。例えば、基準床高調整ブロックＳ２ａの基準厚さｔ０より、１ｍｍ厚い床高調整ブロックＳ２や２ｍｍ厚い床高調整ブロックＳ２や３ｍｍ厚い床高調整ブロックＳ２等を用意したり、或いは／及び、基準床高調整ブロックＳ２ａの基準厚さｔ０より、１ｍｍ薄い床高調整ブロックＳ２や２ｍｍ薄い床高調整ブロックＳ２や３ｍｍ薄い床高調整ブロックＳ２等を用意しておく。
【００４０】
基準交点Ｃ０及び基準交点Ｃ０以外の交点Ｃ１〜Ｃ４が位置する床スラブ１の上面に、接着剤や釘、ビス等の適当な固着具を用いて、全て同じ厚さｔ１を有する防震ブロックＳ１を取り付ける。その後、基準交点Ｃ０に取り付けられた防震ブロックＳ１の上面に、基準床高調整ブロックＳ２ａを、接着剤や釘、ビス等の適当な固着具を用いて取り付けるとともに、基準交点Ｃ０以外の交点Ｃ１〜Ｃ４に取り付けられた防震ブロックＳ１の上面に、床高調整ブロックＳ２を、同じく、接着剤や釘、ビス等の適当な固着具を用いて取り付けることになるが、この際、厚さｔ２の異なる多数の床高調整ブロックＳ２の中から、上述したようにして計算された、基準交点Ｃ０以外の交点Ｃ１〜Ｃ４に位置する床スラブ１の上面から、水平レーザービームｍ１までの高さＨ１、Ｈ２・・・と基準交点Ｃ０の基準高さＨ０との差Δｈ１（Ｈ０−Ｈ１）、Δｈ２（Ｈ０−Ｈ２）・・・を相殺するような厚さを有する床高調整ブロックＳ２を選択し、このようにして選択された床高調整ブロックＳ２を、防震ブロックＳ１に載置する。
【００４１】
図１２を用いて、具体的に、基準交点Ｃ０以外の交点Ｃ１〜Ｃ４に位置する床スラブ１の上面から、水平レーザービームｍ１までの高さＨ１、Ｈ２・・・と基準交点Ｃ０の基準高さＨ０との差Δｈ１（Ｈ０−Ｈ１）、Δｈ２（Ｈ０−Ｈ２）・・・を相殺するような高さを有する床高調整ブロックＳ２の選択について説明する。なお、一例として、基準交点Ｃ０以外の交点Ｃ１〜Ｃ４が位置する床スラブ１の上面から、水平レーザービームｍ１までの高さＨ１、Ｈ２が、基準交点Ｃ０の床スラブ１の上面からの基準高さＨ０より高い場合を用いて説明する。
【００４２】
基準交点Ｃ０以外の所定の交点Ｃ’から水平レーザービームｍ１までの高さＨ１と、基準交点Ｃ０との高さＨ０との差が、Δｈ１（Ｈ１−Ｈ０）の場合には、基準床高調整ブロックＳ２ａの厚さｔ０よりも、Δｈ１だけ厚い厚さｔ２’を有する床高調整ブロックＳ２を選択し、このようにして選択された床高調整ブロックＳ２を、防震ブロックＳ１に載置する。このように、床高調整ブロックＳ２を、適宜、選択することにより、基準交点Ｃ０に配置された防震ブロックＳ１に載置された基準床高調整ブロックＳ２ａの上面と、基準交点Ｃ０以外の所定の交点Ｃ’に配置された防震ブロックＳ１に載置に載置された床高調整ブロックＳ２の上面とが、同一水平面となる水平出しを行うことができる。同様に、基準交点Ｃ０以外の所定の交点Ｃ”から水平レーザービームｍ１までの高さＨ２と、基準交点Ｃ０との高さＨ０との差が、Δｈ２（Ｈ１−Ｈ０）の場合には、基準床高調整ブロックＳ２ａの厚さｔ０よりも、Δｈ２だけ厚い厚さｔ２”を有する床高調整ブロックＳ２を選択し、このようにして選択された床高調整ブロックＳ２を、防震ブロックＳ１に載置する。このように、床高調整ブロックＳ２を、適宜、選択することにより、基準交点Ｃ０に配置された防震ブロックＳ１に載置された基準床高調整ブロックＳ２ａの上面と、基準交点Ｃ０以外の所定の交点Ｃ’、点Ｃ”に配置された防震ブロックＳ１に載置に載置された床高調整ブロックＳ２の上面とが、同一水平面となる水平出しを行うことができる。
【００４３】
上述したような水平出し作業を、基準交点Ｃ０以外の交点Ｃ１〜Ｃ４の全てについて行うことにより、床スラブ１の上面から、防震ブロックＳ１を介して、配設された、基準床高調整ブロックＳ２ａの上面を含め、全ての床高調整ブロックＳ２の上面を同一水平面とすることができる。
【００４４】
その後、水平出しされた床高調整ブロックＳ２の上面に、図１３に示されているような、同一の厚さｔ３を有する平面形状が方形状の受台ブロックＳ３を、接着剤や釘、ビス等の適当な固着具を用いて取り付ける。
【００４５】
次いで、受台ブロックＳ３の上面に、同じ厚さを有する床下地パネルＰを敷き詰めるとともに、ビスや釘等の適当な固着具を用いて、床下地パネルＰを、受台ブロックＳ３に固着する。その後、床下地パネルＰの上面に、フローリング材Ｆを敷き詰めることにより、図１３に示されているような、上面が水平な床構造が施工されることになる。
【００４６】
床構造が、床スラブ１の上面に載置された、全て同じ厚さｔ１を有する防震ブロックＳ１と、該防震ブロックＳ１に載置された床高調整ブロックＳ２とを有しているので、厚さｔ２が異なる床高調整ブロックＳ２から、適当な厚さを有する床高調整ブロックＳ２を選択することにより、起伏を有する床スラブ１に施工される床構造の正確な水平出しを行うことができる。
【００４７】
基準交点Ｃ０における床スラブ１の上面から水平レーザービームｍ１までの基準高さＨ０及び基準交点Ｃ０以外の床スラブ１の上面から水平レーザービームｍ１までの高さＨ１、Ｈ２・・・を、それぞれ測定するとともに、基準交点Ｃ０の基準高さＨ０と基準交点Ｐ０以外の交点Ｃ１〜Ｃ４における床スラブ１の上面から水平レーザービームｍ１までの高さＨ１、Ｈ２・・・との差Δｈ１（Ｈ０−Ｈ１）、Δｔ２（Ｈ０−Ｈ２）・・・を計算し、次いで、同じ厚さｔ１を有する防震ブロックＳ１を、床スラブ１に載置し、その後、防震ブロックＳ１の上面に、上記の差Δｈ１（Ｈ０−Ｈ１）、Δｈ２（Ｈ０−Ｈ２）・・・を相殺するような厚さｔ２を有する床高調整ブロックＳ２を載置するように構成したので、床スラブ１の全面に亘たって、床構造の正確な水平出しを行うことができる。
【００４８】
更に、従来のように、床下地パネルＰの上面に、作業者が乗ることにより、湾曲した状態の床下地パネルＰの上面に、水平器を載置して、床下地パネルＰの水平出し作業を行うようなことがないので、床構造の正確な水平出しを行うことができる。
【００４９】
更にまた、従来のように、水平器を用いて、床下地パネルＰの水平出しを行うのではなく、上述した床構造の施工方法により、反り返りや湾曲のない床高調整ブロックＳ２の上面の水平出しを行うようにしたので、同じく、反り返りや湾曲のない受台ブロックＳ３を介して、床高調整ブロックＳ２に載置される床下地パネルＰ自体が反り返っていたり、湾曲していても、精度の高い床下地パネルＰの水平出しを行うことができる。
【００５０】
なお、上述した床下地パネルＰの裏面に、予め、防震ブロックＳ１、床高調整ブロックＳ２及び受台ブロックＳ３からなるパネル受け部材Ｓを、接着剤や釘、ビス等の適当な固着具を用いて取り付けておき、このように、パネル受け部材Ｓが取り付けられた床下地パネルＰを、床スラブ１に配置することもできる。
【００５１】
なお、上述したような、角部パネル受け部材Ｓｃと該角部パネル受け部材Ｓｃと隣り合う中間パネル受け部材Ｓｍと間のスパンＬ２を、中間パネル受け部材Ｓｍと該中間パネル受け部材Ｓｍと隣り合う中間パネル受け部材Ｓｍと間のスパンＬ１より短く構成した本発明の基本構成を維持した上で、防震ブロックＳ１、床高調整ブロックＳ２及び受台ブロックＳ３の平面形状を、全て、正方形に形成することができる。このように構成することにより、防震ブロックＳ１や床高調整ブロックＳ２や受台ブロックＳ３を配設する際に、その方向性を考慮することなく、配設することができるので、パネル受け部材Ｓの施工作業の作業性が向上し、ひいては、床構造の作業性が向上する。
【００５２】
本発明においては、パネル受け部材Ｓが、いずれもブロック形状の防震ブロックＳ１、床高調整ブロックＳ２及び受台ブロックＳ３により構成されているので、ネジとナットからなる高さ調整機構付きの脚部材に比べて、パネル受け部材Ｓの上下変動及び水平変動の移動が少なく、従って、長期間に亘たって、撓みや変形の少ない床構造を提供することができる。
【００５３】
また、ネジとナットからなる高さ調整機構付きの脚部材の場合には、床構造に加えられる振動により、ネジに対してナットが移動しやすく、従って、床の高さが変動することになるが、本発明においては、パネル受け部材Ｓが、いずれもブロック形状の防震ブロックＳ１、床高調整ブロックＳ２及び受台ブロックＳ３により構成されているので、床の高さが変動するようなことを防止することができる。
【００５４】
更に、本発明においては、角部パネル受け部材Ｓｃと該角部パネル受け部材Ｓｃと隣り合う中間パネル受け部材Ｓｍと間のスパンＬ２を、中間パネル受け部材Ｓｍと該中間パネル受け部材Ｓｍと隣り合う中間パネル受け部材Ｓｍと間のスパンＬ１より短くしたので、パネル受け部材Ｓに支持されている床下地パネルＰの撓みを、複数の床下地パネルＰにより構成される床全体に亘たって、略同じにすることができ、従って、リフォームの際に、新たに設置される間仕切りが位置する床部分等に、脚部材を追加するようなことがなく、従って、リフォームの工事時間を短縮することができるとともに、リフォーム費用を低減化することができる。
【００５５】
更にまた、パネル受け部材Ｓが、いずれもブロック形状の防震ブロックＳ１、床高調整ブロックＳ２及び受台ブロックＳ３により構成されているので、ネジとナットからなる高さ調整機構付きの脚部材を使用した床構造のように、床下地パネル間に間隙を形成し、この間隙から、脚部材を構成するネジを回転させて、床下地パネルの高さ調整を行う必要がなく、また、床下地パネル間の間隙を塞ぐような板状部材を布設する必要ない。従って、床構造の施工時間を短縮することができるとともに、床構造の施工費用を低減化することができる。
【００５６】
なお、上述した実施例には、パネル受け部材Ｓを構成する防震ブロックＳ１と防震ブロックＳ１に載置される床高調整ブロックＳ２の平面形状が同じ大きさである例が示されているが、防震ブロックＳ１と床高調整ブロックＳ２の平面形状の大きさを変えることもできる。また、防震ブロックＳ１、床高調整ブロックＳ２及び受台ブロックＳ３の平面形状の大きさを、それぞれ、異なる大きさとすることもできる。
【００５７】
ところで、図１において、床下地パネルＰの短辺ｐ１に沿って配置された角部パネル受け部材Ｓｃにより支持されている床下地パネルＰの角部パネル受け部材Ｓｃ間の短辺ｐ１に沿った撓みは、床下地パネルＰの短辺ｐ１に沿って配置された中間パネル受け部材Ｓｍ間に位置する床下地パネルＰの中間パネル受け部材Ｓｍ間の短辺ｐ１に沿った撓みより、大きいことが知られている。
【００５８】
角部パネル受け部材Ｓｃ間の短辺ｐ１に沿った撓みを、中間パネル受け部材Ｓｍ間の短辺ｐ１に沿った撓みに近づけるためには、図１に示されているように、角部パネル受け部材Ｓｃ間のスパンと中間パネル受け部材Ｓｍ間のスパンを、全て同じスパンＬ３ではなく、図１５に示されているように、角部パネル受け部材Ｓｃの床下地パネルＰの短辺ｐ１に沿った長さＬ４を、中間パネル受け部材Ｓｍの床下地パネルＰの短辺ｐ１に沿った長さＬ５より、ΔＬ２（Ｌ４−Ｌ５）だけ長くして、角部パネル受け部材Ｓｃ間のスパンＬ６を、中間パネル受け部材Ｓｍ間のスパンＬ３より、２×ΔＬ２だけ短くすることにより、床下地パネルＰの角部パネル受け部材Ｓｃ間の短辺ｐ１に沿った撓みを、床下地パネルＰの中間パネル受け部材Ｓｍ間の短辺ｐ１に沿った撓みと、略同じにすることができる。
【００５９】
上述したように構成することにより、床下地パネルＰの全てにおける撓みを、略同じにすることができ、従って、歩行感のより一定した床構造を設置することができる。
【図面の簡単な説明】
【００６０】
【図１】図１は、本発明の床構造の基本構成を説明するためのパネル受け部材に載置された床下地パネルの平面図である。
【図２】図２は、従来の床構造の基本構成を説明するための図１と同様のパネル受け部材に載置された床下地パネルの平面図である。
【図３】図３は、本発明の床構造を構成する防震ブロック、床高調整ブロック及び受台ブロックからなるパネル受け部材の分解斜視図である。
【図４】図４は、本発明の床構造の垂直断面図である。
【図５】図５は、本発明の床構造を構成するパネル受け部材の垂直断面図である。
【図６】図６は、同じく、本発明の床構造を構成するパネル受け部材の垂直断面図である。
【図７】図７は、本発明のパネル受け部材が配置された状態の平面図である。
【図８】図８は、本発明のパネル受け部材が配置された状態の部分拡大平面図である。
【図９】図９は、線引きされた状態の床スラブの平面図である。
【図１０】図１０、本発明の床構造を施工する順序を説明するための一部断面を含む側面図である。
【図１１】図１１は、同じく、本発明の床構造を施工する順序を説明するための一部断面を含む側面図である。
【図１２】図１２は、本発明の床構造を施工する順序を説明するための垂直断面図である。
【図１３】図１３は、本発明の床構造の垂直断面図である。
【図１４】図１４は、梁としての床下地パネルが、床下地パネルの長手方向に等間隔で設置された支持点としての脚部材により支持されている状態の模式図である。
【図１５】図１５は、本発明の別の実施例を示す図１と同様の床下地パネルの平面図である。
【符号の説明】
【００６１】
Ｐ・・・・・・・・・・・床下地パネル
Ｍ・・・・・・・・・・・レーザーレベル計
ｍ１・・・・・・・・・・レーザービーム
Ｃ１〜Ｃ４・・・・・・・交点
Ｓ・・・・・・・・・・・パネル受け部材
Ｓ１・・・・・・・・・・防震ブロック
Ｓ２・・・・・・・・・・床高調整ブロック
Ｓ３・・・・・・・・・・受台ブロック
Ｗ・・・・・・・・・・・壁
１・・・・・・・・・・・床スラブ
【図１】
2009249837.tif 000003
【図２】
2009249837.tif 000004
【図３】
2009249837.tif 000005
【図４】
2009249837.tif 000006
【図５】
2009249837.tif 000007
【図６】
2009249837.tif 000008
【図７】
2009249837.tif 000009
【図８】
2009249837.tif 000010
【図９】
2009249837.tif 000011
【図１０】
2009249837.tif 000012
【図１１】
2009249837.tif 000013
【図１２】
2009249837.tif 000014
【図１３】
2009249837.tif 000015
【図１４】
2009249837.tif 000016
【図１５】
2009249837.tif 000017